(57)【要約】【課題】適切な精度で端末の位置を検出し、端末に適切な広告を表示する。【解決手段】  無線端末と、前記無線端末と通信する基地局と、第１の信号を送信する制御信号送信機とを備える無線通信システムであって、前記制御信号送信機は、前記第１の信号を前記無線端末に送信する制御信号送信部を備え、前記無線端末は、情報を表示するための信号を受信する受信部と、前記表示される情報を記憶する記憶部と、前記記憶部に記憶された情報を表示する表示部と、各部を制御する制御部とを備え、前記無線端末は、制御信号送信機から送信される第１の信号を受信すると、前記記憶部に記憶された情報のうち、前記受信した第１の信号に関連する情報を読み出して、前記表示部に表示する。【選択図】図１
2007036790.tif 000002
【特許請求の範囲】
【請求項１】
情報を表示するための信号を受信する受信部と、前記表示される情報を記憶する記憶部と、前記記憶部に記憶された情報を表示する表示部と、各部を制御する制御部とを備える端末であって、
制御信号送信機から送信される第１の信号を受信すると、前記制御部は、前記記憶部に記憶された情報のうち、前記受信した第１の信号に関連する情報を読み出して、前記表示部に表示することを特徴とする無線端末。
【請求項２】
前記受信部は、他の無線局から送信され、前記表示される情報を含む第２の信号を受信し、
前記記憶部は、前記受信した第２の信号から抽出された前記情報を記憶し、
前記第１の信号と前記第２の信号とは同じ周波数で送信されることを特徴とする請求項１に記載の無線端末。
【請求項３】
前記表示部は、
発音装置、液晶表示装置及び発光素子の少なくとも一つを備え、
前記発音装置による読み上げによる表示、液晶表示装置による表示又は発光素子による表示の少なくとも一つによって表示することを特徴とする請求項１に記載の無線端末。
【請求項４】
前記受信部は、他の無線局から送信され、前記表示される情報を含む第２の信号を受信し
前記記憶部は、前記第２の信号に含まれる複数の情報及び各情報の識別子を記憶し、
前記制御部は、前記第１の信号に含まれる識別子を抽出し、
前記表示部は、前記第１の信号から抽出された識別子に対応する情報を表示することを特徴とする請求項１に記載の無線端末。
【請求項５】
前記記憶部は、前記情報が表示されると、当該情報が表示済であることを記憶することを特徴とする請求項１に記載の無線端末。
【請求項６】
前記受信部は、前記第２の信号に含まれる情報の受信の際に、当該情報に関する第１の所定時間を受信し、
前記制御部は、前記記憶部に前記情報を記憶してから前記第１の所定時間が経過すると、当該情報を破棄することを特徴とする請求項２に記載の無線端末。
【請求項７】
前記受信部は、前記第２の信号に含まれる情報の受信の際に、当該情報の破棄時刻を受信し、
前記制御部は、前記破棄時刻になると、当該情報を破棄することを特徴とする請求項２に記載の無線端末。
【請求項８】
無線端末と、前記無線端末と通信する基地局と、第１の信号を送信する制御信号送信機とを備える無線通信システムであって、
前記制御信号送信機は、前記第１の信号を前記無線端末に送信する制御信号送信部を備え、
前記無線端末は、情報を表示するための信号を受信する受信部と、前記表示される情報を記憶する記憶部と、前記記憶部に記憶された情報を表示する表示部と、各部を制御する制御部とを備え、
前記無線端末は、制御信号送信機から送信される第１の信号を受信すると、前記記憶部に記憶された情報のうち、前記受信した第１の信号に関連する情報を読み出して、前記表示部に表示することを特徴とする無線通信システム。
【請求項９】
前記無線端末は、前記基地局から送信され前記表示される情報を含む第２の信号を受信し、前記受信した第２の信号から抽出された前記情報を前記記憶部に記憶し、
前記第１の信号は前記第２の信号と同じ周波数で送信されることを特徴とする請求項８に記載の無線通信システム。
【請求項１０】
前記無線端末は、
前記基地局から送信され前記表示される情報を含む第２の信号を受信し、
前記第２の信号に含まれる複数の情報及び各情報の識別子を前記記憶部に記憶し、
さらに、前記第１の信号に含まれる識別子を抽出し、
前記第１の信号から抽出された識別子に対応する情報を前記表示部に表示することを特徴とする請求項８に記載の無線通信システム。
【請求項１１】
前記制御信号送信機は、
前記基地局と通信する通信部を備え、
前記基地局から送信されるパイロット信号から第２の所定時間だけずらせた信号を含む前記第１の信号を送信し、
前記基地局からの指令に基づいて、前記第２の所定時間を設定することを特徴とする請求項８に記載の無線通信システム。
【請求項１２】
前記基地局は、前記表示される情報を含む第２の信号を複数の無線端末に対して同時に送信し、前記第２の所定時間を各制御信号送信機に個別に送信することを特徴とする請求項１１に記載の無線通信システム。
【請求項１３】
前記制御信号送信機は、前記基地局からの指令に基づいて、前記第１の信号に含める識別子を設定することを特徴とする請求項８に記載の無線通信システム。
【請求項１４】
前記制御信号送信機は、前記第１の信号を間欠的に送信することを特徴とする請求項８に記載の無線通信システム。
【請求項１５】
無線端末と、前記無線端末と通信する基地局と、第１の信号を送信する制御信号送信機とを備える無線通信システムにおける、情報表示方法であって、
前記制御信号送信機は、前記第１の信号を前記無線端末に送信する制御信号送信部を備え、
前記無線端末は、情報を表示するための信号を受信する受信部と、前記表示される情報を記憶する記憶部と、前記記憶部に記憶された情報を表示する表示部と、各部を制御する制御部とを備え、
前記基地局は、前記無線端末に表示される情報を含む第２の信号を送信し、
前記無線端末は、前記基地局から送信された第２の信号を受信し、前記受信した第２の信号に含まれる情報及び各情報の識別子を記憶し、その後、制御信号送信機から送信される前記第１の信号を受信すると、前記第１の信号から抽出された識別子に対応する情報を表示することを特徴とする情報表示方法。
【請求項１６】
前記制御信号送信機は、前記第２の信号と同じ周波数で、前記第１の信号を送信することを特徴とする請求項１５に記載の情報表示方法。
【請求項１７】
前記制御信号送信機は、前記基地局から送信されるパイロット信号を第２の所定時間だけずらせた信号を含む前記第１の信号を送信することを特徴とする請求項１５に記載の情報表示方法。
【請求項１８】
前記基地局は、前記第２の信号を複数の無線端末に対して同時に送信し、前記第２の所定時間を各制御信号送信機に個別に送信することを特徴とする請求項１７に記載の情報表示方法。
【発明の詳細な説明】
【技術分野】
【０００１】
本発明は、無線通信システムに関し、特に、携帯電話システムを使って広告などの情報を表示する技術に関する。
【背景技術】
【０００２】
携帯電話システムの電子メール送受信機能を利用して、端末に広告を表示することが提案されている。この場合、端末所持者の現在位置に関係なく広告を表示すると、端末の所持者は不要な電子メールを多数受信することになり、これを閲覧したり消去したりする作業が煩雑になる。これを避けるため、特定の位置にある端末又は特定の位置に所定時間以上滞在している端末にのみ広告の電子メールを送信する技術が提案されている（例えば、特許文献１、特許文献２参照。）。
【０００３】
これにより、効果の小さい広告に関する電子メールが送信されなくなるため、広告の効果をそれほど低下させることなく、端末が受信する広告の電子メールの総数を大幅に削減することができる。
【０００４】
また、携帯電話システムを使って複数の端末に対し同じ情報を同時に送信する技術が提案されている（例えば、非特許文献１参照。）。
【特許文献１】特開２００２−２５９８２１号公報
【特許文献２】特開２００４−２８７２９６号公報
【非特許文献１】3GPP2 C.S0024-A，The 3rd Generation Partnership Project 2，"cdma2000 High Rate Packet Data Air Interface Specification"，２００４年３月
【発明の開示】
【発明が解決しようとする課題】
【０００５】
前述した背景技術のうち、特許文献１には、端末位置検出方法として、携帯電話網の位置検出機能を利用する方法、及びグローバルポジショニングシステム（ＧＰＳ）を利用する方法が開示されている。また、特許文献２には、ＩＣタグを利用する方法が開示されている。
【０００６】
このうち、携帯電話網の位置検出機能を利用する方法では、各基地局のセル半径より細かい精度で、端末の位置を検出することは困難である。現在のセルラー型携帯電話システムのセル半径は殆どが数百メートル以上あるため、数十メートル以下の精度で位置検出することは難しい。また、端末に広告を表示させたい地理的範囲と基地局の配置は別個の事情によって決まる。よって、広告を表示させたい範囲に端末が存在するかを、与えられた基地局配置で精度よく検知できる可能性は低い。
【０００７】
ＧＰＳを利用する方法は、地下街、建物の中及び建物が密集した所など、ＧＰＳ衛星からの電波が直接届きにくい位置に端末が存在するときには、使えない場合がある。また、端末の位置検出精度が低下する場合がある。店舗などは、このようなＧＰＳ衛星からの電波が届きにくい場所に在ることが多いため、広告主の店舗の前に端末が来た時に広告を表示させることが困難である。
【０００８】
ＩＣタグを利用する方法は、ＩＣタグの電源に、検知器から送信される電波を使う方法と、端末に搭載したバッテリからの電源を使う方法とがある。
【０００９】
前者の場合には、ＩＣタグと検知器との距離を１メートル程度以下にするか、又は検知器から送信される電波の電力を非常に大きくする必要がある。端末に広告を表示する際には、検知できる範囲を数メートル〜１００メートル程度の範囲で自由に設定できることが望ましく、この方法を採用することは難しい。
【００１０】
後者の場合には、端末と基地局との間の通信に使用する以外の電波を端末が送信するため、新たな周波数帯の割り当てが必要である。また、その周波数で電波を送信するために端末のバッテリの消耗が早くなる。
【００１１】
更に、従来の技術では、端末が所定の位置に来たこと又は所定の位置に所定時間以上滞在したことを検知してから広告表示の電子メールを送信するため、基地局が送信する一つの情報を複数の端末が同時に受信する機能を使って広告表示のための情報を一斉に送ることは難しい。
【００１２】
また、端末の位置を検出する所定の位置が、建物の陰や地下街など基地局からの電波が届きにくい位置である場合には、伝送効率の悪い状態で広告が送信されるか、端末が広告の表示に最適な位置を離れてから広告が送信されることになる。
【００１３】
本発明は、前述した目的に必要な精度で端末位置を検知して、適切なタイミングで端末に広告を表示することを目的とする。また、携帯電話システムが使用する周波数以外に新たな周波数の電波を使うことなく、端末の位置を検知することを目的とする。また、広告の表示に必要な情報を効率よく伝送することを目的とする。さらに、端末が広告の表示に最適な位置に在るときに広告を表示することを目的とする。
【課題を解決するための手段】
【００１４】
本発明は、無線端末と、前記無線端末と通信する基地局と、第１の信号を送信する制御信号送信機とを備える無線通信システムであって、前記制御信号送信機は、前記第１の信号を前記無線端末に送信する制御信号送信部を備え、前記無線端末は、情報を表示するための信号を受信する受信部と、前記表示される情報を記憶する記憶部と、前記記憶部に記憶された情報を表示する表示部と、各部を制御する制御部とを備え、前記無線端末は、制御信号送信機から送信される第１の信号を受信すると、前記記憶部に記憶された情報のうち、前記受信した第１の信号に関連する情報を読み出して、前記表示部に表示することを特徴とする。
【発明の効果】
【００１５】
本発明によれば、制御信号送信機の送信電力やアンテナの設置方法を調整することによって、制御信号が届く範囲を容易に変えることができるため、目的に合った精度で端末位置を検知して、適切な広告を表示することができる。
【００１６】
また、本発明によれば、基地局が送信する下り信号と同じ周波数で制御信号を送信するため、広告を表示するために新たな周波数の信号を使う必要がなく、周波数利用効率が向上する。
【００１７】
また、本発明によれば、広告を表示するために必要な情報をあらかじめ基地局から受信しておく。すなわち、通信状態の良い時に広告情報を効率よく伝送しておくことができるので、端末が広告の表示に最適な位置に在るときに、直ちに広告を表示することができる。
【発明を実施するための最良の形態】
【００１８】
（実施形態１）
以下、本発明の第１の実施の形態を、図１〜図８を参照して説明する。
【００１９】
図１には、第１の実施の形態の携帯電話システムの基地局、制御信号送信機及び端末の配置の一例を示す。さらに、図１には、基地局及び制御信号送信機が送信する電波を有効に受信できるおおよその範囲を示す。
【００２０】
携帯電話システムの基地局１０１〜１０７が、各基地局によって形成されるセル１５１〜１５７が隣接するように配置されている。
【００２１】
端末１２１〜１３９は、セル１５１〜１５７に存在している。地形の起伏または建物などの影や反射により生じる例外を除けば、各端末は最も近い基地局から送信される電波を最も大きな電力で受信する。そして、最大受信電力を与える基地局との間で通信をする。
【００２２】
すなわち、セル、１５１〜１５７は、基地局１０１〜１０７が送信する下り通信の電波を有効に受信できるおおよその範囲であり、端末が各基地局と有効に通信できる地理的範囲である。例えば、基地局１０１のセルは１５１の範囲である。セル内の最も遠い地点とその基地局の距離がセル半径と定義される。
【００２３】
セル１５１〜１５７内には、制御信号送信機１１１〜１１３が配置されている。制御信号送信機１１１〜１１３が送信する制御信号の電波を有効に受信できるおおよその範囲をそれぞれ１６１〜１６３で表わす。
【００２４】
制御信号送信機１１１〜１１３が送信する電波は、基地局１０１〜１０７が送信する電波よりはるかに小さい（例えば、１万分の１）電力で送信する。これにより、制御信号を受信できるおおよその範囲１６１〜１６３の面積を基地局のセル面積よりはるかに小さくすることができる。
【００２５】
また、広告主の希望により、制御信号送信機１１１〜１１３のアンテナの指向性や設置方法を選択することによって、制御信号を受信できる範囲の形状を変えることができる。
【００２６】
例えば、受信エリア１６１のように、制御信号を受信できる範囲を円形にすれば、制御信号を受信できる範囲を、広告主の店舗周囲３６０度の方向に均等に設定することができる。また、受信エリア１６２のように、制御信号を受信できる範囲を扇形にすれば、制御信号を受信できる範囲を、店舗の正面方向（又は、他の特定方向）に設定することができる。また、受信エリア１６３のように、制御信号を受信できる範囲を細長くすれば、制御信号を受信できる範囲を、店舗に通じる道路などに沿って細長く設定することができる。
【００２７】
次に、制御信号の構成の一例を図２及び図３を参照して説明する。
【００２８】
図２に示すように、第１の実施の形態の制御信号には、所定のビットパターン２０１及び識別符号２０２が含まれる。
【００２９】
所定のビットパターン２０１は、制御信号であることを示すもので、あらかじめ定めた固定のビットパターンとし、基地局から送信された下り信号と制御信号送信機から送信された制御信号を区別するために使用する。このビットパターンを例えば９０ビットの長さにすると、基地局から送信された下り信号が偶然にこのビットパターンと一致する確率は、約１０の２７乗分の１であり殆ど問題にならない。
【００３０】
識別符号は２０２、この制御信号を送信した制御信号送信機を表わすもので、各制御信号送信機１１１〜１１３と１対１に対応する符号である。識別符号を、例えば３０ビットの長さにすると、約１０億個までの制御信号送信機を識別できる。
【００３１】
図３には、図２に示す制御信号を送信するタイミングを示す。
【００３２】
図３において、上段は基地局から端末や制御信号送信機に向けて送信する下り信号の構成を示し、下段は制御信号送信機が送信する制御信号の構成を示す。右方向に時間の経過を示し、縦方向には送信電力の強弱を示す。
【００３３】
なお、本実施の形態は、３ＧＰＰ２から公開された仕様書Ｃ．Ｓ００２４−Ａに則って下り信号が送信される場合である。
【００３４】
下り信号には、パイロットチャネル３０１及び３０２、データチャネル３１１〜３１３及びＭＡＣチャネル３２１〜３２４が含まれる。また、制御信号には、パイロットチャネル３３１及び３３２及びデータチャネル３４１〜３４３を含む。図３に示した下り信号及び制御信号はそれぞれ２０４８チップ分の長さであるが、制御信号の方が５チップ前に始まり５チップ前に終わるように、制御信号の送信タイミングを設定する。
【００３５】
下り信号のパイロットチャネル３０１及び３０２は、端末を基地局に同期させるために用いられるパターンが含まれる。下り信号のデータチャネル３１１〜３１３は、基地局から送信される音声及びデータが含まれる。ＭＡＣチャネル３２１〜３２４は、基地局から端末を高速に制御するための信号を送るチャネルである。いずれも、前述した仕様書Ｃ．Ｓ００２４−Ａに記載された各チャネルの拡散方法で拡散した信号である。
【００３６】
制御信号のパイロットチャネル３３１及び３３２は、下り信号のパイロットチャネル３０１及び３０２を５チップ前にずらせたものと全く同じパターンである。制御信号のデータチャネル３４１〜３４３は、図２に示した制御信号を含む。制御信号はＭＡＣチャネルを含まない。制御信号送信機から端末を高速に制御する必要がないからである。
【００３７】
本実施の形態では、基地局からの下りの信号と制御信号送信機からの制御信号とが同じ周波数の電波で送信されている。よって、後述するように、一つの高周波受信部によって両信号を受信することができるので、端末に複数の受信部を設ける必要がない。
【００３８】
図４は、第１の実施の形態の制御信号送信機１１１の一例の主要部の構成を表わすブロック図である。
【００３９】
制御信号送信機１１１は、アンテナ４０１、受信部４０２、送信部４０３、プロセッサ４０４、変調部４１１、高周波送信部４１２、フィルタ４１３、アンテナ４１４及び時計部４１５を備える。
【００４０】
アンテナ４０１は、基地局と通信するための電波を送受信する。受信部４０２は、基地局から送信された信号を受信する。送信部４０３は、基地局に向けて送信される信号を生成する。プロセッサ４０４は、制御信号送信機１１１の各部を制御する。
【００４１】
変調部４１１は、端末に向けて送信される制御信号を生成する。高周波送信部４１２は、生成された制御信号を所定の周波数の搬送波に載せる。フィルタ４１３は、所定の周波数範囲外のスプリアスを除去する。アンテナ４１４は、端末に向けて制御信号の電波を送信する。時計部４１５は、この制御信号送信機内の基準時刻を生成する。
【００４２】
受信部４０２は、通常の端末のデータ通信（例えば、電子メール）と同様に、基地局１０１〜１０７からデジタル情報を受信する。これによって、この制御信号送信機の識別符号など端末に向け送信する制御信号を生成するために必要な情報を取得する。そして、取得した情報は、プロセッサ４０４内のメモリに格納される。この基地局から送信される情報には、例えば、基地局から送信される下り信号に対する制御信号のタイミングをずらす量及び制御信号に含まれる識別符号２０２がある。タイミングをずらす量は、ここに述べる第１の実施の形態では５チップ早めるように固定するが、後述する実施の形態のように基地局から制御する場合にはこの情報を使って制御してもよい。
【００４３】
このように、基地局からの指令信号によって識別符号を変更することができるようにすると、識別符号を動的に変更することができ、制御信号送信機の増減や設置場所の変更に対応することができる。また、制御信号送信機に関する広告主の変更にも対応することができる。
【００４４】
また、下り信号の受信タイミングと時計部４１５が示す時刻を比較することによって、基地局から受信した電波と時計４１５のずれを検知できる。下り信号の受信タイミングの検知方法は後述する。
【００４５】
送信部４０３は、通常の端末と同様に、受信部４０２の受信状態を基地局に通知するための信号を送信する。
【００４６】
変調部４１１は、図２に示す制御信号を所定の変調規則で変調し、さらに所定の拡散符号で拡散し、図３に示す制御信号を生成する。このときに使用される拡散符号は、基地局が送信する下り電波の拡散符号と同じであるが、そのタイミングはこの制御信号送信機が基地局から受信する下り信号の受信タイミング（複数の下り信号が受信される場合は最も早いタイミング）より５チップ早いタイミングに設定する。
【００４７】
この制御信号送信機の付近にある端末は、この制御信号送信機とほぼ同じタイミングで基地局からの下り信号を受信するため、これより５チップ早いタイミングの拡散符号を用いれば、基地局からの下り信号と制御信号との混信を避けると同時に、端末に受信されやすくすることができる。
【００４８】
すなわち、端末は後述するセルサーチ機能を使って制御信号を受信することになるが、セルサーチ機能では、すでに通信中の基地局からの下り信号に近いタイミングの信号を探す。その範囲は通常の端末では８〜３２チップ程度であり、５チップであればほぼ確実にセルサーチの範囲に入る。また、基地局からの下り信号より遅いタイミングでは、その基地局からの電波が反射して届いたり他の基地局からの電波が届いたりするので、早い方にずらせた方が混信の可能性を低減できる。なお、遅い方にずらせた場合、混信の可能性は高まるが、遅いほうにずらしても本発明は実現は可能である。
【００４９】
また、制御信号送信機１１１が、自分が送信した制御信号を基地局からの下り信号と誤認したり、自分が送信した制御信号が干渉波となることによる、受信部４０２の誤動作を避ける必要がある。このため、アンテナ４０１には指向性を有するものを用い、アンテナ４０１の放射パターンが、アンテナ４１４の方向に向かないように、かつ、基地局の方向に向くように設置するのが望ましい。
【００５０】
なお、制御信号送信機の電源として太陽電池と蓄電池を組み合わせることによって、設置場所の制約が大きく緩和され、制御信号を送信する範囲の調整が容易になる。もちろん、商用電源の供給を受けられる場所に設置する場合には商用電源を使うこともできる。また、定期的に電池を交換できる場所に設置する場合には一次電池（乾電池等）を使うこともできる。
【００５１】
次に、端末に広告などを表示するための広告情報について説明する。この情報は、基地局から端末に向けデジタル情報として送信され、端末内の記憶装置に記憶される。そして、端末は、制御信号を受信した時に、この情報を使って広告を表示する。
【００５２】
図５に、第１の実施の形態の基地局から端末に向け送信する広告情報の一例を示す。
【００５３】
図５に示すように、広告情報は、識別符号５０１及び広告本体５０２を含む。
【００５４】
識別符号５０１は、どの制御信号送信機が送信する制御信号を受信した時にこの広告を表示するかを示す。広告本体５０２は、広告などを表示するための情報そのものである。
【００５５】
広告情報は、従来の電子メール送受信機能を使って、基地局から端末１台ごとに個別に送ることもできる。また、前述した仕様書Ｃ．Ｓ００２４−Ａに記載された方法によって、基地局から複数の端末に対して同時に送ることもできる。
【００５６】
広告情報を受信した端末は、適当な形式に整理して記憶装置に記憶する。
【００５７】
図６に、第１の実施の形態の端末に記憶される広告情報の一例を示す。
【００５８】
図６に示すように、端末には受信した広告情報の識別符号６０１、フラグ６０２、受信時刻６０３、アドレス６０４及び情報容量６０５が、アクセスしやすい形式で記憶される。また、広告を表示するための広告本体６０６は、識別符号等６０１〜６０５と関連付けられて、記憶容量の無駄がなるべく生じない形式で記憶する。
【００５９】
識別符号６０１は、受信した広告情報の識別子であり、どの制御信号送信機が送信する制御信号を受信した時にこの広告が表示されるかを示す。フラグ６０２は、各識別符号に対応する広告をすでに表示したか否かを示す。受信時刻６０３は、この広告情報を基地局から受信した時刻である。アドレス６０４は、広告本体が記憶されている場所のアドレスである。情報容量６０５は、記憶される広告本体のデータ量である。
【００６０】
具体的には、端末が基地局から広告情報を受信した時は、その広告を表示するための広告本体６０６を記憶装置内の空いた領域に記憶する。そして、その時まで記憶していた古い広告本体６０６の記憶領域を開放する。
【００６１】
そして、今回受信した新しい広告本体６０６が記憶された領域のアドレス６０４及び容量６０５を記録する。また、その識別符号に対応するフラグ６０２を「未表示」に変更し、受信時刻６０４を更新する。なお、今、受信した識別符号に対応するエントリが記憶されていなければ、新たなエントリを作成する。また、記憶容量が足りない場合には、受信時刻が古い広告から順に消去する。
【００６２】
端末が、制御信号送信機から送信される制御信号を受信した時には、受信した制御信号から識別符号を抽出し、記憶装置から抽出された識別符号のエントリを検索する。そして、検索されたエントリから当該識別符号に対応するフラグを参照する。そのフラグが「既表示」であれば、特に何もする必要はない。一方、そのフラグ６０２が「未表示」であれば、その識別符号６０１に対応する広告本体６０６を表示し、このエントリのフラグ６０２を「既表示」に変更する。
【００６３】
広告の情報は、具体的には以下の手順で表示される。まず、端末は、電子メールの受信時と同様に、音声装置による呼出音、振動装置又は発光装置等によって、使用者に注意を喚起する。そして、使用者が端末の入力装置（押しボタン等）を操作した後に、広告本体の情報の文字及び／又は絵を液晶表示装置に表示する。
【００６４】
また、液晶表示装置による表示の代わりに、音響装置を使用し、言葉及び／又は音楽等によって表現することもできる。更に、液晶表示装置と音声装置の両方を使って表示することもできる。
【００６５】
また、広告を表示すべきときに、液晶表示装置に他の情報が表示されていれば、使用者が液晶表示装置を見ていることが推定されるので、、表示可能な情報がある旨を、液晶表示装置の画面上に表示をすることによって、使用者の注意を喚起することもできる。
【００６６】
いずれの表示方法を使うかは、広告主の希望に基づいて広告情報ごとに設定し、基地局から送信される広告情報の広告本体の中に予め含めておくとよい。
【００６７】
すなわち、端末は、広告情報の本体を受信したときにはユーザには広告が表示されず、制御信号を受信したときにユーザに広告が表示される。
【００６８】
図７は、第１の実施の形態の端末１２１の一例の構成の主要部を示す。
【００６９】
端末１２１は、アンテナ７０１、受信部７０２、送信部７０３、プロセッサ７０４、記憶装置７０５、表示装置７０６及び入力装置７０７を備える。また、受信部７０２は、高周波受信部７１１、ＡＤ変換部７１２、同期部７１３及び復調部７１４を備える。
【００７０】
端末１２１は、アンテナ７０１が受信した電波の中から、高周波受信部７１１が下りの周波数帯の信号を取り出して増幅する。また、高周波受信部７１１は、アンテナ７０１が受信した電波の中から制御信号を取り出して増幅する。そして、ＡＤ変換部７１２が任意の位相成分とそれに直交する位相成分をデジタル信号に変換して抽出する。
【００７１】
本実施の形態では、基地局からの下りの信号と制御信号送信機からの制御信号とが同じ周波数で送信されるので、両信号を一つの高周波受信部７１１によって受信することができる。
【００７２】
同期部７１３は、セルサーチ機能によって、基地局１０１〜１０７から送信される下り信号の受信タイミングを検出する。具体的には、同期部７１３は、このデジタル信号を種々のタイミングの拡散符号によって逆拡散し、下り信号に含まれるパイロット信号を抽出する。抽出されたパイロット信号の電力が大きければ、その拡散符号のタイミングで受信した電波が強いことが分かる。
【００７３】
復調部７１４は、同期部７１３によって検出されたタイミングを用いて、このデジタル信号を復調し、データチャネルの信号及び他のチャネルの信号を抽出する。プロセッサ７０４は、同期部７１３や復調部７１４のこれら一連の動作を制御する。
【００７４】
表示装置７０６は、液晶表示装置、発音装置及び発光表示装置の少なくとも一つを備える。液晶表示装置は、端末の所有者に報知すべき情報を文字及び／又は図形によって表示する。発音装置は、音声合成モジュール、音響信号増幅器及びスピーカを備え、端末の所有者に表示すべき情報を音声信号によって報知する。発光表示装置は、自ら発光することによって情報を報知する表示装置であって、端末の所有者に報知すべき情報を文字及び／又は図形によって表示する。
【００７５】
次に、セルサーチ機能を使って制御信号送信機１１１〜１１３の送信する制御信号を受信する方法を説明する。
【００７６】
図８は、第１の実施の形態の制御信号受信処理のフローチャートを示す。
【００７７】
前述したように、同期部７１３は、高周波受信部７１１から出力されるデジタル信号を種々のタイミングの拡散符号によって逆拡散し、下り信号又は制御信号を受信するタイミングを探索する（Ｓ１１）。
【００７８】
そして、すでに受信中の下り信号のタイミングとは異なる新しいタイミングで受信する信号があるか否かを判定する（Ｓ１２）。その結果、すでに受信中の下り信号のタイミングと異なるタイミングで受信する信号があれば、ステップＳ１３に進む。一方、異なるタイミングで受信する信号がなければ、ステップＳ１９に進む。
【００７９】
ステップＳ１３では、そのタイミングがすでに受信中の下り信号のタイミングより早いか遅いかを判定する。その結果、新たに探索された信号のタイミングが遅い場合には、すでに受信中の下り信号とは別の経路で受信した下り信号であると考えられるので、新たな下り信号のパスとして登録しＲＡＫＥ合成の対象とする（Ｓ１６）。
【００８０】
一方、新たに探索された信号のタイミングがすでに受信中の下り信号より早い場合には、そのタイミングで受信した電波を単独で復調し（Ｓ１４）、図２に示した所定のビットパターンを含むか否かを判定する（Ｓ１５）。
【００８１】
所定のビットパターンが含まれない場合には、探索された信号は制御信号ではなくすでに受信中の下り信号とは別の経路で受信した下り信号であると考えられるので、新たな下り信号のパスとして登録しＲＡＫＥ合成の対象とする（Ｓ１６）。
【００８２】
一方、所定のビットパターンが含まれる場合には、探索された信号は制御信号であると考えられるので、この制御信号から識別符号を抽出し、図６に示した記憶情報の中から識別符号に対応するフラグを参照する（Ｓ１７）。そして、このフラグによって、当該制御信号に関連する広告が既に表示されたか否かを判定する（Ｓ１７）。
【００８３】
受信した制御信号に対応するフラグが「未表示」であれば、前述のようにその識別符号に対応する広告本体を使って広告を表示する（Ｓ１８）。さらに、対応するフラグを「既表示」に変更する。
【００８４】
そして「未表示」であったか「既表示」であったかにかかわらず、基地局との間の通常の送受信動作を所定時間だけ行なった後（Ｓ１９）、ステップＳ１１に戻り、この処理を繰り返す。
【００８５】
この制御信号受信処理によって、制御信号の可能性がある信号を受信したときには、それが制御信号でないことを確認してからＲＡＫＥ合成の対象に加えるので、制御信号から下り信号への混信を避けることができる。
【００８６】
なお、送信部７０３及び入力装置７０７の動作は、従来の端末と同じなので、説明を省略する。
【００８７】
（実施形態２）
次に、本発明の第２の実施形態について説明する。
【００８８】
第２の実施形態では、基地局から端末に向け送信される広告情報が、第１の実施の形態と異なる。その他の構成は、前述した第１の実施の形態と同じであるため、同じ符号を付し、その説明は省略する。
【００８９】
図９は、第２の実施の形態の基地局から端末に向け送信される広告情報の例を示す。
【００９０】
図９に示すように、広告情報は、識別符号５０１、履歴番号９０１、有効時間９０２及び広告本体５０２を含む。
【００９１】
識別符号５０１及び広告本体５０２は、前述した第１の実施の形態（図５）と同じである。
【００９２】
履歴番号９０１は、同じ制御信号送信機に関連する広告情報を識別する識別子である。すなわち、広告の内容が別な内容に変われば、履歴番号が更新される。
【００９３】
有効時間９０２は、当該広告情報が有効となる時間である。すなわち、広告情報の受信時刻から有効時間９０２が経過するまでの間、当該広告が有効となる。なお、有効時間９０２の経過後は当該広告は無効となり、端末に表示されることはない。
【００９４】
基地局から送信された一つの広告情報を、複数の端末が同時に受信する場合には、その時に端末の電源が切れていた等の理由によって、端末が広告情報を受信できないことがありうる。このため、時間を空けて同じ広告情報を繰り返し送信することが有効である。ところが、１回目に送信された広告情報を正しく受信し、既にその情報を表示した端末にとって、同じ広告情報が再送されると再び同じ情報を表示する可能性が生じる。第２の実施の形態では、これを避けるために履歴番号９０１を使用する。
【００９５】
また、前述した第１の実施の形態では、記憶装置の容量が不足した時には受信時刻の古い広告情報から順に削除していくようにされているが、後に受信した広告情報の方が先に不要になる場合もある。このため、第２の実施の形態では、広告情報を有効とする時間の情報（例えば、有効時間９０２）を、広告情報に含め、不要になった広告情報を先に削除できるようにする。
【００９６】
図１０に、第２の実施の形態の端末に記憶される広告情報の一例を示す。
【００９７】
図１０に示すように、端末には受信した広告情報の識別符号６０１、履歴番号１００２、フラグ６０２、破棄時刻１００３、アドレス６０４及び情報容量６０５が、アクセスしやすい形式で記憶される。また、広告を表示するための広告本体６０６は、識別符号等６０１〜６０５、１００２〜１００３と関連付けられて、記憶容量の無駄がなるべく生じない形式で記憶する。
【００９８】
履歴番号１００２は、履歴番号９０１が格納される。
【００９９】
破棄時刻１００３は、広告情報の受信時刻と広告情報に含まれる有効時間９０２から算出された、当該広告情報の破棄予定時刻である。
【０１００】
端末は、広告情報を受信すると、その識別符号６０１に対応する記憶装置内の履歴番号１００２が、今受信した広告情報の履歴番号９０１と一致するか否かを判定する。その結果、履歴番号が一致しない場合には、第１の実施の形態と同様に、その広告情報を記憶装置内に記憶し、履歴番号１００２、フラグ６０２、破棄時刻１００３等の情報を更新する。一方、履歴番号が一致する場合には、既に当該広告の情報を記憶しているので、記憶装置内に記憶された情報の状態を変化させない。
【０１０１】
これによって、同じ履歴番号の広告情報を２回以上受信したときには、２回目以降に受信した情報を記憶装置に記憶することなく、同じ情報の表示を避けることができる。
【０１０２】
端末は、新たな広告情報を受信した時に、記憶装置の容量が不足した場合には、破棄時刻１００３が現在時刻以前である情報の一部又は全部を削除する。
【０１０３】
なお、第１の実施の形態（図５及び図６）は、履歴番号と有効時間（破棄時刻）のいずれの情報も使わない場合であり、第２の実施の形態（図９及び図１０）は、履歴番号と有効時間（破棄時刻）の両方とも使う場合であるが、いずれか一方のみを使うように構成することもできる。
【０１０４】
また、広告情報に有効時間の代わりに、破棄予定時刻を含めることもできる。
【０１０５】
また、複数の制御信号送信機が近接して設置される場合、同じタイミングの拡散符号を用いると制御信号同士が混信するおそれがある。このため、下り電波の拡散符号よりどれだけずらせたタイミングの拡散符号を使って制御信号を生成するかは、基地局からの指示により制御信号送信機ごとに個別に設定できるようにしておくことが望ましい。そして、制御信号送信機ごとに異なるタイミングの拡散符号を使うことにより、制御信号同士の混信を避けることができる。
【０１０６】
また、制御信号送信機は、設置場所の状況によりアンテナ４０１の指向性がアンテナ４１４の方向に向かないように設置することが困難な場合もある。この場合には、高周波送信部４１２が間欠的に電波を送信するようにし、この電波を送信している間に受信部４０２が受信した信号を使わず、この電波の送信が停止している間に受信部４０２が受信した信号を用いるようにする。これにより、自分の送信した制御信号が干渉波となって誤動作することを避けられる。
【０１０７】
また、広告主の希望などにより、制御信号を送信する範囲を複雑な形状にしたい場合や、制御信号を送信する範囲２箇所以上に分割したい場合には、１個の制御信号送信機では対応できない場合もありうる。この場合には、２個以上の制御信号送信機に同じ識別符号を設定しておくことによって、いずれの制御信号送信機が送信する制御信号を受信しても同じ情報を表示させることができる。この場合にも、同じ識別符号で同じ履歴番号の情報が２回以上表示されることはない。
【０１０８】
（実施形態３）
次に、本発明の第３の実施形態について説明する。
【０１０９】
第３の実施形態では、広告情報は、基地局から端末に向けて送信されるのではなく、有線の通信系を経由して送信される点で、第１の実施の形態と異なる。その他の構成は、前述した第１の実施の形態と同じであるため、同じ符号を付し、その説明は省略する。
【０１１０】
図１１は、第３の実施の形態の端末１２１の一例の構成の主要部を示す。
【０１１１】
端末１２１は、アンテナ７０１、受信部７０２、送信部７０３、プロセッサ７０４、記憶装置７０５、表示装置７０６、入力装置７０７及び有線通信部１１０１を備える。
【０１１２】
有線通信部１１０１は、端末１２１が充電器（図示省略）に装着されている間は、コネクタによって、有線通信網（例えば、インターネット、ＰＳＴＮ）に接続され、信号１１５１を送受信することができる。すなわち、端末を携帯して持ち歩いている間は、有線通信部１１０１による通信はできないが、端末が有線通信網と接続されている間は外部と通信可能である。このように構成すれば、記憶装置７０５に記憶させる広告情報をバッテリの充電中に有線で送ることができ、無線系のトラフィックを増大させることがない。
【０１１３】
なお、以上説明した実施の形態における時間の設定、電力の設定、距離の設定、符号の設定、標準仕様の選択などは、単なる一例であり変更可能であることは言うまでもない。
【図面の簡単な説明】
【０１１４】
【図１】第１の実施の形態の携帯電話システムにおける基地局、制御信号送信機及び端末の配置図である。
【図２】第１の実施の形態の制御信号の構成図である。
【図３】第１の実施の形態の制御信号と下り信号のタイミング図である。
【図４】第１の実施の形態の制御信号送信機のブロック図である。
【図５】第１の実施の形態の広告情報の構成図である。
【図６】第１の実施の形態の端末に記憶される広告情報の説明図である。
【図７】第１の実施の形態の端末のブロック図である。
【図８】第１の実施の形態の制御信号受信処理のフローチャートである。
【図９】第２の実施の形態の広告情報の構成図である。
【図１０】第２の実施の形態の端末に記憶される広告情報の説明図である。
【図１１】第３の実施の形態の端末のブロック図である。
【符号の説明】
【０１１５】
１０１〜１０７  基地局
１１１〜１１３  制御信号送信機
１２１〜１３９  端末
１５１〜１５７  基地局の電波を有効に受信できる範囲
１６１〜１６３  制御信号送信機の電波を有効に受信できる範囲
【図１】
2007036790.tif 000003
【図２】
2007036790.tif 000004
【図３】
2007036790.tif 000005
【図４】
2007036790.tif 000006
【図５】
2007036790.tif 000007
【図６】
2007036790.tif 000008
【図７】
2007036790.tif 000009
【図８】
2007036790.tif 000010
【図９】
2007036790.tif 000011
【図１０】
2007036790.tif 000012
【図１１】
2007036790.tif 000013